(57)【特許請求の範囲】
【請求項１】
患者の気道を維持するための中空円筒状のチューブ本体と、
上記チューブ本体が挿入される上記患者の気道屈曲度に対応して施術者が上記チューブ本体の屈曲度を自在に調節できるように備えられる屈曲度調節ワイヤと、
を含み、
上記屈曲度調節ワイヤは、
両端部がそれぞれ上記チューブ本体の遠位部及び近位部に固定されて、上記施術者が上記近位部を曲げる場合、上記遠位部が引っ張られなから曲がるとともに、
上記遠位部の一側内周面に固定される第１結合部と、
上記第１結合部の固定位置に対してずれて対向するように上記近位部の一側内周面に固定される第２結合部と、
上記チューブ本体の中空部分に傾斜して配置され、上記第１結合部及び上記第２結合部を相互連結する連結部と、
を含むことを特徴とする屈曲度の調節が可能な気管チューブ。
【請求項２】
上記チューブ本体は、上記屈曲度調節ワイヤの操作によって上記遠位部が折り曲げられることができるように上記遠位部の表面に備えられる第１蛇管を含むことを特徴とする
請求項１に記載の屈曲度の調節が可能な気管チューブ。
【請求項３】
上記チューブ本体は、上記屈曲度調節ワイヤの操作によって上記近位部が折り曲げられることができるように上記近位部の表面に備えられる第２蛇管を含むことを特徴とする
請求項１に記載の屈曲度の調節が可能な気管チューブ。
【請求項４】
上記施術者が手で把持できるように、上記近位部に隣接した上記屈曲度調節ワイヤの一端部に備えられるレバーを更に含むことを特徴とする
請求項１に記載の屈曲度の調節が可能な気管チューブ。
【請求項５】
上記レバーは、上記施術者が指を掛けて上記屈曲度調節ワイヤを引っ張ることができるように備えられる環状のレバーであることを特徴とする
請求項４に記載の屈曲度の調節が可能な気管チューブ。
【請求項６】
上記遠位部は、上記患者の気道への容易な挿入のために、一端部がテーパ状に加工されることを特徴とする
請求項１に記載の屈曲度の調節が可能な気管チューブ。
【請求項７】
上記患者の気道に挿入された後に膨張することにより、上記チューブ本体の位置を固定できるように上記遠位部に結合されるバルーンを更に含むことを特徴とする
請求項１に記載の屈曲度の調節が可能な気管チューブ。
【発明の詳細な説明】
【技術分野】
【０００１】
本発明は、屈曲度の調節が可能な気管チューブに関するもので、より詳しくは、施術者が患者の気管内に気管チューブを挿管した状態で気道の屈曲度に沿って気管チューブの自体屈曲度を調節できる屈曲度の調節が可能な気管チューブに関するものである。
【背景技術】
【０００２】
一般に、気管内挿管術（Endotracheal Intubation）は、呼吸不全又は気道閉塞が発生した患者、麻酔など呼吸に影響を及ぼす操作が必要な患者に必須で行われる気道維持方法である。
【０００３】
このような気管内挿管術には気管内チューブを用い、気管内チューブは主に口(又は鼻)を通して口腔−咽頭部−後頭部−声門を通過して気管内に挿管されるため、挿管過程で通過する人体の構造上、前方へある程度屈曲（Curvature）した形に製作されている。
【０００４】
既存の気管内挿管術の施術時は、製作された屈曲度よりも気管内チューブがより曲がっていてこそ気管への挿管が容易なため、通常、気管内チューブ中に比較的強い鉄心を入れて気管内チューブをより曲げた状態で挿管を行っていた。
【０００５】
しかし、既存の気管内チューブは、内部に鉄心を入れて使用するため、挿管施術の途中に鉄心を更に曲げ伸ばしすることができない。即ち、気管内チューブを気管内に挿入した状態では鉄心を曲げることができないのである。
【０００６】
よって、鉄心で維持された屈曲度が患者に合わなければ、気管内チューブを再び取り出して屈曲度を調節しなければならないため、気管内挿管の遅延を招き患者を危険にさらすことになるとの問題がある。そればかりか、鉄心が気管内チューブの外に露出された場合は、気管を刺して深刻な損傷又は出血を誘発し得るとの問題がある。
【０００７】
また、気管内挿管がなされた後は鉄心を取り除かなければならず、鉄心を取り除く過程で気管内チューブが気管から抜け出ることもある。
【発明の概要】
【発明が解決しようとする課題】
【０００８】
本発明の技術的課題は、患者の気管内に気管チューブを挿管した状態で気道の屈曲度に沿って気管チューブの自体屈曲度を調節しながらも、気管の損傷及び出血を防ぎ、気管内挿管の反復試図可能性及び施術時間を減らすことにより、気管内挿管術の施術品質を向上させることができる屈曲度の調節が可能な気管チューブを提供することにある。
【０００９】
本発明の達成しようとする技術的課題は、以上で言及された技術的課題に制限されるものでなく、言及されていない他の技術的課題は、下の記載から本発明の属する技術分野における通常の知識を有する者に明確に理解されることができるはずである。
【課題を解決するための手段】
【００１０】
上記技術的課題は、本発明により、患者の気道を維持するための中空円筒状のチューブ本体と、上記チューブ本体が挿入される上記患者の気道屈曲度に対応して施術者が上記チューブ本体の屈曲度を自在に調節できるように備えられる屈曲度調節ワイヤと、を含み、上記屈曲度調節ワイヤは、両端部がそれぞれ上記チューブ本体の遠位部及び近位部に固定されて、上記施術者が上記近位部を曲げる場合、上記遠位部が引っ張られながら曲がることを特徴とする屈曲度の調節が可能な気管チューブによって達成される。
【００１１】
上記屈曲度調節ワイヤは、上記遠位部の一側内周面に固定される第１結合部と、上記第１結合部の固定位置に対してずれて対向するように上記近位部の一側内周面に固定される第２結合部と、上記チューブ本体の中空部分に傾斜して配置され、上記第１結合部及び上記第２結合部を相互連結する連結部と、を含み得る。
【００１２】
上記チューブ本体は、上記屈曲度調節ワイヤの操作によって上記遠位部が折り曲げられることができるように上記遠位部の表面に備えられる第１蛇管を含み得る。
【００１３】
上記チューブ本体は、上記屈曲度調節ワイヤの操作によって上記近位部が折り曲げられることができるように上記近位部の表面に備えられる第２蛇管を含み得る。
【００１４】
上記施術者が手で把持できるように、上記近位部に隣接した上記屈曲度調節ワイヤの一端部に備えられるレバーを更に含み得る。
【００１５】
上記レバーは、上記施術者が指をかけて上記屈曲度調節ワイヤを引っ張ることができるように備えられる環状のレバーであり得る。
【００１６】
上記遠位部は、上記患者の気道への容易な挿入のために、一端部がテーパ状に加工され得る。
【００１７】
上記患者の気道に挿入された後に膨脹することにより、上記チューブ本体の位置を固定できるように上記遠位部に結合されるバルーン（Balloon）を更に含み得る。
【発明の効果】
【００１８】
本発明は、チューブ本体に備えられる近位部の変形された屈曲度に連動して近位部方向へ引っ張られる屈曲度調節ワイヤの操作によって遠位部の屈曲度を調節する屈曲度の調節が可能な気管チューブを提供することにより、気管内挿管術の施術時、気道内に挿入される遠位部の屈曲度を施術者の思い通りに自在に調節しながらも、気管の損傷及び出血を防ぎ、気管内挿管の反復試図可能性及び施術時間を減らすことにより、施術品質を向上させることができる。
【図面の簡単な説明】
【００１９】
【図１】図１は、本発明の一実施例による屈曲度の調節が可能な気管チューブの斜視図である。
【図２】図２は、図１の屈曲度の調節が可能な気管チューブの断面図である。
【図３】図３は、屈曲度の調節が可能な気管チューブの屈曲度が調節される状態を示した断面図である。
【図４】図４は、屈曲度の調節が可能な気管チューブの屈曲度が調節される状態を示した断面図である。
【図５】図５は、図１の屈曲度の調節が可能な気管チューブによる気管内挿管術の施術過程を示した断面図である。
【発明を実施するための形態】
【００２０】
以下、添付図面を参照して本発明の望ましい実施例を詳しく説明すれば、次の通りである。但し、本発明の説明において、既に公知の機能或いは構成に関する説明は、本発明の要旨を明瞭にするために省略する。
【００２１】
図１は、本発明の一実施例による屈曲度の調節が可能な気管チューブの斜視図であり、図２は、図１の屈曲度の調節が可能な気管チューブの断面図であり、図３及び図４は、屈曲度の調節が可能な気管チューブの屈曲度が調節される状態を示した断面図であり、図５は、図１の屈曲度の調節が可能な気管チューブによる気管内挿管術の施術過程を示した断面図である。
【００２２】
本発明の一実施例による屈曲度の調節が可能な気管チューブ１００は、図１及び図２に示されているように、患者に空気を供給するために備えられるチューブ本体１１０と、チューブ本体の屈曲度を自在に調節できるように備えられる屈曲度調節ワイヤ１２０とを含む。
【００２３】
チューブ本体１１０は、患者の気道を維持できるように一定長さを有する中空円筒状に形成され、両端部に遠位部１１２及び近位部１１４が備えられる。
【００２４】
遠位部１１２は、気管内挿管術時、患者の気管を通して気道内に挿入されるようにチューブ本体１１０の一側に一定長さに形成され、第１蛇管１１２Ａが備えられる。この時、遠位部１１２の一端部はテーパー状に加工される。即ち、遠位部１１２の一端部は先端側に向かってテーパー状に加工され、これにより、遠位部１１２は患者の気道内へ容易に挿入されることができるようになる。
【００２５】
第１蛇管１１２Ａは、遠位部１１２が屈曲度調節ワイヤの操作によって折り曲げられることができるように遠位部１１２の表面に形成され、バルーン１１６が備えられる。即ち、第１蛇管１１２Ａは、屈曲度調節ワイヤ１２０の操作によって折り曲げられるように変形されて遠位部１１２の屈曲度を自在に調節する。
【００２６】
ここで、第１蛇管１１２Ａが屈曲度調節ワイヤ１２０の操作によって折り曲げられるように変形されて遠位部１１２の屈曲度が調節される理由については、後述する屈曲度調節ワイヤ１２０において説明する。
【００２７】
バルーン１１６は、遠位部１１２が患者の気道内に挿入された後、チューブ本体１１０の位置を固定できるように、遠位部１１２に備えられる第１蛇管１１２Ａの表面に結合されるように備えられる。この時、バルーン１１６は、患者の気道内に挿入される遠位部１１２の先端に形成される。
【００２８】
このようなバルーン１１６は、チューブ本体１１０の内周面に沿って近位部１１４の外部に露出されるように備えられる空気ホース１１７と連結され、空気ホース１１７を通して注入される空気により膨脹する。これにより、バルーン１１６は、空気注入によって膨脹して気道内に密着するため、遠位部１１２が気道内に挿入された後、チューブ本体１１０の位置を固定できるようになる。
【００２９】
また、近位部１１４の外部に露出される空気ホース１１７の自由端には、バルーン１１６に空気を注入できるように逆止弁１１８及び注射器１１９が着脱可能に結合され得る。
【００３０】
ここで、逆止弁１１８及び注射器１１９は、バルーン１１６に空気を注入する際に空気ホース１１７に結合され、気管内挿管術の施術完了後、チューブ本体１１０を気管から取り出す際に空気ホース１１７から分離される。これは、バルーン１１６に注入された空気を空気ホース１１７の自由端を通して排出させるためである。
【００３１】
近位部１１４は、気管内挿管術時、屈曲度調節ワイヤ１２０の操作によって曲げられるようにチューブ本体１１０の他側に一定長さに形成され、第２蛇管１１４Ａが備えられる。
【００３２】
第２蛇管１１４Ａは、近位部１１４が屈曲度調節ワイヤ１２０の操作によって折り曲げられることができるように近位部１１４の表面に備えられる。即ち、第２蛇管１１４Ａは、近位部１１４を折り曲げられるように自在に変形させて屈曲度調節ワイヤ１２０を操作する。
【００３３】
ここで、第２蛇管１１４Ａが屈曲度調節ワイヤ１２０を操作するように近位部１１４を曲げる場合に遠位部１１２の屈曲度が調節される理由については、後述する屈曲度調節ワイヤ１２０において説明する。
【００３４】
屈曲度調節ワイヤ１２０は、施術者がチューブ本体１１０の屈曲度を自在に調節できるように備えられる構成で、遠位部１１２に固定される第１結合部１２２と、第１結合部１２２の固定位置に対してずれて対向するように近位部１１４に固定される第２結合部１２４と、第１結合部１２２及び第２結合部１２４を相互連結する連結部１２６と、第２結合部１２４に備えられるレバー１２８とを含む。
【００３５】
第１結合部１２２は、遠位部１１２の一側内周面に固定される。即ち、第１結合部１２２は、遠位部１１２の一側内周面の上部に固定される。
【００３６】
第２結合部１２４は、近位部１１４の一側内周面に固定される。即ち、第２結合部１２４は、近位部１１４の一側内周面の下部に固定され、これにより、第１結合部１２２の固定位置に対してずれて対向するように固定される。
【００３７】
連結部１２６は、第１結合部１２２及び第２結合部１２４を相互連結する構成で、チューブ本体１１０の中空部分に傾斜して配置される。
【００３８】
即ち、連結部１２６は、第１結合部１２２及び第２結合部１２４が遠位部１１２及び近位部１１４に相互ずれて対向するように固定されることにより、遠位部１１２と近位部１１４との間に形成されるチューブ本体１１０の中空部分に傾斜して配置される。
【００３９】
レバー１２８は、施術者が手で把持できるように、近位部１１４に隣接する屈曲度調節ワイヤ１２０の一端部に備えられる。即ち、レバー１２８は、屈曲度調節ワイヤ１２０に備えられる第２結合部１２４と連結され、チューブ本体１１０に備えられる近位部１１４の外部に露出され、施術者が遠位部１１２の屈曲度調節時に近位部１１４と共に容易に把持できるようにする。このとき、レバー１２８は、施術者が容易に把持できるように板材状に形成される。
【００４０】
ここで、本実施例の屈曲度調節ワイヤ１２０は、図３に示されているように、第１結合部１２２が遠位部１１２に固定され第２結合部１２４が近位部１１４に固定されて、近位部１１４の変形による屈曲度に沿って屈曲度調節ワイヤ１２０を連動させて遠位部１１２の屈曲度を調節できるように備えられる。
【００４１】
即ち、施術者が近位部１１４及びレバー１２８を把持した状態で第２蛇管１１４Ａを変形させて近位部１１４を曲げると、近位部１１４の変形された屈曲度に沿って連動する屈曲度調節ワイヤ１２０が近位部１１４方向に引っ張られ、これにより、遠位部１１２は第１蛇管１１２Ａによって折り曲げられるように変形されて屈曲度が調節されるのである。
【００４２】
これとは異なり、本発明の他の実施例によって、屈曲度調節ワイヤ１２０は、図４に示されているように、第１結合部１２２が遠位部１１２に固定され、第２結合部１２４が近位部１１４に固定されないように結合されて、近位部１１４の変形だけでは遠位部１１２の屈曲度調節が十分ではない場合に、屈曲度調節ワイヤ１２０を直接引張操作して遠位部１１２の屈曲度を調節できるように備えられることもできる。このとき、レバー１２８は、近位部１１４の変形時、指をかけて屈曲度調節ワイヤ１２０を引っ張ることができるように環状に形成される。
【００４３】
即ち、施術者が近位部１１４を変形させると同時にレバー１２８を引っ張ると、屈曲度調節ワイヤ１２０が近位部１１４の変形と同時に変形方向に引っ張られ、これにより、遠位部１１２は第２蛇管１１４Ａによって折り曲げられるように変形されて屈曲度が調節されるのである。
【００４４】
以下、図５を参照して本発明の一実施例による屈曲度の調節が可能な気管チューブの作動過程を説明する。
【００４５】
図５に示されているように、呼吸不全、気道閉塞及び麻酔など呼吸に影響を与える操作が必要な患者の気道を維持するための気管内挿管術を施術するために、施術者がチューブ本体１１０の近位部１１４及びレバー１２８を把持した状態で遠位部１１２を気管内に挿入する。
【００４６】
チューブ本体１１０の遠位部１１２が気管内に挿入されれば、施術者は把持した近位部１１４を外力によって変形させる動作により屈曲度調節ワイヤ１２０を操作しながら気道の屈曲度に沿って遠位部１１２の屈曲度を調節する。
【００４７】
即ち、近位部１１４が第２蛇管１１４Ａによって折り曲げられるように変形されれば、屈曲度調節ワイヤ１２０は近位部１１４の変形された屈曲度に連動して近位部１１４方向に引っ張られ、これにより遠位部１１２は気管内に挿入された状態で第１蛇管１１２Ａによって屈曲度調節ワイヤ１２０の引張方向に折り曲げられるように変形されて気道の屈曲度に対応する屈曲度を維持するように調節されるのである。
【００４８】
このような遠位部１１２の屈曲度調節は、遠位部１１２が気道内に挿入されるまで継続進行され、遠位部１１２が気道内に安全に挿入されれば止まる。
【００４９】
チューブ本体１１０の遠位部１１２が患者の気道内に挿入されれば、患者は、呼吸不全、気道閉塞及び麻酔などによる呼吸障害発生時、チューブ本体１１０を通して安定的に空気の供給を受けることが可能になるため、気道を維持できるようになる。
【００５０】
以上、説明したように、本実施例の屈曲度の調節が可能な気管チューブ１００は、チューブ本体１１０に備えられる近位部１１４の変形された屈曲度に連動して近位部１１４方向へ引っ張られる屈曲度調節ワイヤ１２０の操作によって遠位部１１２の屈曲度を調節することにより、気管内挿管術の施術時、気道内に挿入される遠位部１１２の屈曲度を施術者の思い通りに自在に調節しながらも、気管の損傷及び出血を防ぎ、気管内挿管の反復試図可能性及び施術時間を減らすことができる。
【００５１】
また、チューブ本体１１０に備えられる遠位部１１２の表面に、空気により膨張するバルーン１１６が備えられることにより、遠位部１１２が患者の気道内に挿入された後、空気注入によってバルーン１１６が膨脹して気道内に密着するため、患者の気道維持確保時にチューブ本体１１０の位置を固定することができる。
【００５２】
一方、本発明による屈曲度の調節が可能な気管チューブ１００は、上述の実施例で気管内挿管術に適用されることを一例として説明したが、これに限定されるものではなく、チューブを用いて気道を維持するあらゆる専門気道維持術に適用されることができる。
【００５３】
以上、本発明の特定の実施例が説明され示されているが、本発明は記載の実施例に限定されるものではなく、本発明の思想及び範囲を逸脱しない範囲で多様な修正及び変形が可能であることは、該当技術分野における通常の知識を有する者にとって自明なことである。従って、かかる修正例又は変形例は本発明の技術的思想や観点から個別に理解されてはならず、変形された実施例は本発明の特許請求の範囲に属するものと言わなければならない。
【符号の説明】
【００５４】
１００：気管チューブ 
１１０：チューブ本体 
１１２：遠位部
１１２Ａ：第１蛇管
１１４：近位部
１１４Ａ：第２蛇管
１１６：バルーン
１２０：屈曲度調節ワイヤ 
１２２：第１結合部 
１２４：第２結合部 
１２６：連結部
１２８：レバー
【図１】
0005756228.tif 000002
【図２】
0005756228.tif 000003
【図３】
0005756228.tif 000004
【図４】
0005756228.tif 000005
【図５】
0005756228.tif 000006